(57)【要約】【課題】複数の自走周期の中から設定された自走周期及び複数の強度の中から設定された強度を有する警報の発生、及び外部からの同期信号の周期に強制的に設定された警報の発生が可能な警報システムにおいて、自走周期と同期信号周期とが設定ミスにより異なる場合にも、安定した強度及び周期の警報を発生できるようにする。【解決手段】光警報制御装置は、発光周期の設定が1.0Hz、光度の設定がHiの場合、Low時間30msecの設定情報付き同期パルスを光警報装置に供給する。光警報装置は、Low時間30msecの設定情報付き同期パルスを検出すると、光警報装置で設定された光度に対応する発光時間、強制発光するともに、次回の発光の光度及び発光周期をLow時間30msecに対応する値に設定する。【選択図】図４
2019028614.tif 000002
【特許請求の範囲】
【請求項１】
警報制御装置と警報装置とを有し、前記警報制御装置は、複数の周期の中から択一的に設定された周期の同期信号を出力可能であり、前記警報装置は、複数の周期の中から択一的に設定された自走周期及び複数の強度の中から択一的に設定された強度を有する警報の発生、及び前記同期信号の検出に基づき、当該同期信号の周期に強制的に設定された警報の発生が可能な警報システムであって、
前記同期信号は、前記警報制御装置側で複数の周期の中から択一的に設定された周期及び複数の強度の中から択一的に設定された強度に対応するパルス幅を有し、
前記警報装置は、前記パルス幅の検出に基づいて、前記警報の周期及び強度を当該パルス幅に対応する周期及び強度に強制的に設定する手段を有する、警報システム。
【請求項２】
請求項１に記載された警報システムにおいて、
前記警報は光警報であり、前記強度は光度である、警報システム。
【請求項３】
請求項１に記載された警報システムにおいて、
前記設定する手段は、前記強度の設定を警報発生部の駆動時間又は駆動電流の設定により行う、警報システム。
【請求項４】
請求項３に記載された警報システムにおいて、
前記警報装置は、充電部と、当該充電部の放電電流により駆動される前記警報発生部と、複数の周期と複数のレベルとの組み合わせに対応する（複数×複数）のレベルの電流を出力可能な（複数×複数）の電流制御部と、前記パルス幅の検出に基づいて、当該パルス幅に対応する周期と強度に対応する電流制御部の出力を前記充電部に供給する手段と、前記パルス幅の検出に基づいて、当該パルス幅に対応する強度の駆動時間又は駆動電流で前記警報発生部を駆動させる手段と、を有する警報システム。
【発明の詳細な説明】
【技術分野】
【０００１】
本発明は警報システムに関する。
【背景技術】
【０００２】
警報システムの警報は、ブザー等のベルを鳴動させて行うものが一般的である。ところが、近年、火災等の災害発生を音響とともに視認性の高いフラッシュライト等を用いて災害発生を報知する光警報システムも提案されている（例えば特許文献１）。このような光警報システムによると、音響だけでなく強い光により災害発生を報知するため、例えば聴覚不自由者に対しても有効な警報を行うことができるようになる。以下、このような光による警報を、従来から行われているＬＥＤや赤色ランプ等による表示報知と区別して、光警報という。
【０００３】
光警報は、例えばキセノンランプ等をパルス発光した高光度の白色光（フラッシュライト）により行う。このため従来の表示報知に比べ、例えば聴覚不自由者にも、災害の発生を早期に、かつ確実に認識させることができる。
【０００４】
このような光警報システムとして、図１０に示すように、光警報装置２００と、光警報制御装置１００とを備えた光警報システムがある。光警報制御装置１００は、発光周期設定部１０１を備えている。また、光警報装置２００は、制御部２０１、充電部２０２、発光部２０３、発光周期設定部２０４、及び光度設定部２０５を備えている。
【０００５】
光警報制御装置１００の発光周期設定部１０１は、発光同期信号の周期を1.0Hz対応又は0.5Hz対応に設定可能である。ここで、1.0Hz対応、0.5Hz対応は、それぞれ980msec、1975ｍsecである。発光同期信号は、光警報装置２００の発光部２０３を強制的に発光（強制発光）させるタイミングを示すタイミング信号である。
【０００６】
光警報装置２００の発光周期設定部２０４は、発光部２０３の自走発光周期、即ち、光警報制御装置１００からの発光同期信号が検出されていないときの発光周期を1.0Hz対応又は0.5Hz対応に設定可能である。ここで、1.0Hz対応、0.5Hz対応は、それぞれ995msec、1990ｍsecである。
【０００７】
なお、本明細書では、便宜上、1.0Hz対応の周期、0.5Hz対応の周期を、それぞれ1.0Hzの周期、0.5Hzの周期と言う。つまり、光警報制御装置１００については980msec、1975msecをそれぞれ1.0Hz、0.5Hzと言い、光警報装置２００については995msec、1990msecをそれぞれ1.0Hz、0.5Hzと言う。
【０００８】
光警報装置２００の光度設定部２０５は、光度をHi（ハイ）又はLow（ロー）に設定可能である。ここで、Hi、Lowは、それぞれ発光時間が120msec、60msecである。つまり、発光時間により光度を規定している。これらの各設定部は例えばディップスイッチにより構成されている。
【０００９】
光警報制御装置１００は、図示されてない火災感知器からの火災感知信号を受信すると、光警報装置２００に対して、発光周期設定部１０１で設定された所定の周期（1.0Hz＝980msec又は0.5Hz＝1975msec）の発光同期信号を送信する。光警報装置２００は、発光同期信号を受信すると、充電部２０２に蓄積された電荷を放電させ、発光部２０３を発光同期信号の設定周期で強制発光させる。
【００１０】
光警報装置２００の発光周期、光度は以下のようになる。即ち、光警報制御装置１００から発光同期信号が入力されているときは発光同期信号の周期、及び光度設定部２０５で設定された光度で発光する。そして、発光同期信号の入力に一時的に途絶えると、発光周期設定部２０４で設定された発光周期、及び光度設定部２０５で設定された光度で自走発光する。
【００１１】
図１１は、従来の光警報システムの第１の動作例を示すタイミングチャートである。この動作例は、光警報制御装置１００の設定周期が0.5Hzであり、光警報装置２００の設定周期が0.5Hz、設定光度がLow（0.5Hz・Low設定）の場合、及び、光警報装置２００の設定周期が0.5z、設定光度がHi（0.5Hz・Hi設定）の場合のものである。
【００１２】
この場合、光警報装置２００では、制御部２０１によるLow時間30msec（パルス幅30msec）の同期パルスの立下りの検出に基づいて充電部２０２が充電を開始し、次のLow時間60msecの同期パルスの立下りの検出に基づいて充電部２０２が放電し、発光部２０３が強制発光する。このとき、設定光度がLowの場合は発光時間が60msec、設定光度がHiの場合は発光時間が120msecとなる。
【００１３】
設定された発光時間が経過すると、充電部２０２が充電を開始し、次の同期パルスの立下りの検出に基づいて放電する動作を繰り返す。即ち、発光部２０３は、発光同期信号の設定周期である1975msecの周期で、設定光度に対応する60msec又は120msecの間、間欠的に発光する。
【００１４】
ここで、同期パルスの検出は以下の手順で行う。即ち、拡大部分に示すように、立下りエッジ検出後、1msec周期で５回サンプリングし、２つ以上のLowレベルを検出した場合に同期パルス検出と判定する。ここでは、先頭のLow時間30msecの同期パルスについて図示したが、それに続くLow時間60msecの同期パルスの検出方法も同じである。したがって、実際には、光警報装置２００の発光部２０３の発光開始タイミングは、同期パルスの立下りのタイミングよりも後になるが、便宜上、図１１では発光開始タイミングを同期パルスの立下りとした。他のタイミングチャート（図３乃至９及び図１２乃至１４）についても同様である。
【００１５】
また、図１２は、従来の光警報システムの第２の動作例を示すタイミングチャートである。この動作例は、光警報制御装置１００の設定周期が1.0Hz（1.0Hz設定）であり、光警報装置２００の設定周期が1.0Hz、設定光度がLow（1.0Hz・Low設定）の場合、及び、光警報装置２００の設定周期が1.0Hz、設定光度がHi（1.0Hz・Hi設定）の場合のタイミングチャートである。これらの場合、発光部２０３は発光同期信号の設定周期である980msecの周期で、設定光度に対応する60msec又は120msecの間、間欠的に発光する。
【先行技術文献】
【特許文献】
【００１６】
【特許文献１】特開２０１１−１９８１９４号公報
【発明の概要】
【発明が解決しようとする課題】
【００１７】
しかしながら、前記従来の光警報システムでは、光警報制御装置１００の発光周期の設定と、光警報装置２００の発光周期の設定とが異なる（設定ミス）場合、安定した光度又は発光周期が得られないという問題がある。
【００１８】
図１３は、光警報制御装置１００の設定周期が1.0Hz（1.0Hz設定）、光警報装置２００の設定周期が0.5Hz、設定光度がHi（0.5Hz・Hi設定）の場合のタイミングチャートである。この場合、充電部２０２の充電時間が不足する。即ち、光警報装置２００の設定周期が0.5Hz、設定光度がHiの場合、図１１に示したように、0.5Hzの設定周期に対応する充電時間が必要であるにもかかわらず、その半分程度になってしまうため、設定光度Hiの発光時間である120msecの間、発光部２０３に所要の放電電流を供給可能な電荷が充電部２０２に充電されない。このため、120msecの発光時間内で光度が安定せずに低下してしまう。
【００１９】
また、図１４は、光警報制御装置１００の設定周期が0.5Hz（0.5Hz設定）、光警報装置２００の設定周期が1.0Hz、設定光度がLow（1.0Hz・Low設定）の場合のタイミングチャートである。この場合、隣り合う周期1975msecの同期パルス間で、発光部２０３が発光周期設定部２０４の設定周期である980msecで自走発光する。この結果、発光部２０３の発光時間間隔が交互に995msec、980msecとなり、発光周期が安定しない。
【００２０】
本発明は、このような問題を解決するためになされたものであり、その目的は、警報制御装置と警報装置とを有し、前記警報制御装置は、複数の周期の中から択一的に設定された周期の同期信号を出力可能であり、前記警報装置は、複数の自走周期の中から択一的に設定された自走周期及び複数の強度の中から択一的に設定された強度を有する警報の発生、及び前記同期信号の検出に基づき、当該同期信号の周期に強制的に設定された警報の発生が可能な警報システムにおいて、前記同期信号の周期と前記独自に設定した周期とが設定ミスにより異なる場合にも、安定した強度及び周期の警報を発生できるようにすることである。
【課題を解決するための手段】
【００２１】
本発明は、警報制御装置と警報装置とを有し、前記警報制御装置は、複数の周期の中から択一的に設定された周期の同期信号を出力可能であり、前記警報装置は、複数の周期の中から択一的に設定された自走周期及び複数の強度の中から択一的に設定された強度を有する警報の発生、及び前記同期信号の検出に基づき、当該同期信号の周期に強制的に設定された警報の発生が可能な警報システムであって、前記同期信号は、前記警報制御装置側で複数の周期の中から択一的に設定された周期及び複数の強度の中から択一的に設定された強度に対応するパルス幅を有し、前記警報装置は、前記パルス幅の検出に基づいて、前記警報の周期及び強度を当該パルス幅に対応する周期及び強度に強制的に設定する手段を有する、警報システムである。
【発明の効果】
【００２２】
本発明によれば、警報制御装置と警報装置とを有し、前記警報制御装置は、複数の周期の中から択一的に設定された周期の同期信号を出力可能であり、前記警報装置は、複数の自走周期の中から択一的に設定された自走周期及び複数の強度の中から択一的に設定された強度を有する警報の発生、及び前記同期信号の検出に基づき、当該同期信号の周期に強制的に設定された警報の発生が可能な警報システムにおいて、前記同期信号の周期と前記独自に設定した周期とが設定ミスにより異なる場合にも、安定した強度及び周期の警報を発生することができる。
【図面の簡単な説明】
【００２３】
【図１】本発明の実施形態に係る光警報システムの構成を示すブロック図である。
【図２】本発明の実施形態に係る光警報制御装置の発光同期信号設定処理を示すフローチャートである。
【図３】本発明の実施形態に係る光警報制御装置から出力される発光同期信号を示すタイミングチャートである。
【図４】本発明の実施形態に係る光警報システムの第１の動作例を示すタイミングチャートである。
【図５】本発明の実施形態に係る光警報システムの第２の動作例を示すタイミングチャートである。
【図６】本発明の実施形態に係る光警報システムの第３の動作例を示すタイミングチャートである。
【図７】本発明の実施形態に係る光警報システムの第４の動作例を示すタイミングチャートである。
【図８】本発明の実施形態に係る光警報システムの第５の動作例を示すタイミングチャートである。
【図９】本発明の実施形態に係る光警報システムの第６の動作例を示すタイミングチャートである。
【図１０】従来の光警報システムの構成をブロック図である。
【図１１】従来の光警報システムの第１の動作例を示すタイミングチャートである。
【図１２】従来の光警報システムの第２の動作例を示すタイミングチャートである。
【図１３】従来の光警報システムの第１の問題点を示すタイミングチャートである。
【図１４】従来の光警報システムの第２の問題点を示すタイミングチャートである。
【発明を実施するための形態】
【００２４】
以下、本発明の実施形態について図面を参照して詳細に説明する。
〈光警報システムの構成〉
図１は、本発明の実施形態に係る光警報システムの構成を示すブロック図である。この光警報システムは、光警報制御装置１０と光警報装置２０とを備えている。
【００２５】
光警報制御装置１０は、制御部１１、火災感知信号受信部１２、発光同期信号出力部１３、発光周期設定部１４、及び光度設定部１５を備えている。
【００２６】
制御部１１は、例えばＣＰＵ、メモリ、各種の入出力ポート等を備えたマイクロコントローラからなり、この光警報制御装置１０の全体を制御する。火災感知信号受信部１２は、図示されていない火災感知器からの火災感知信号を受信し、制御部１１に通知する。発光同期信号出力部１３は、制御部１１の制御に基づいて、発光同期信号を生成し、光警報装置２０に供給する。
【００２７】
発光周期設定部１４は、発光同期信号の周期を1.0Hz又は0.5Hzに設定可能である。ここで、1.0Hz、0.5Hzは、それぞれ980msec、1975ｍsecである。また、光度設定部１５は、光度をHi又はLowに設定可能である。ここで、Hi、Lowは、それぞれ発光時間が120msec、60msecである。これらの各設定部は例えばディップスイッチにより構成されている。即ち、発光周期設定部１４により２種類の発光周期の設定、光度設定部１５により２種類の光度の設定が可能であり、総計でそれらの組み合わせからなる４（２×２）種類の設定が可能である。
【００２８】
発光同期信号出力部１３は、これらの４種類の設定に対して、下記の表１に示すような周期及び同期パルスのLow時間（パルス幅）を有する発光同期信号を生成して出力する。ここで、同期パルスとは図３を参照して後述する設定情報付き同期パルスである。
【００２９】
【表１】
2019028614.tif 000003
【００３０】
光警報装置２０は、制御部２１、第１乃至第４の電流制御部２２乃至２５、切替スイッチ２６、充電部２７、警報発生部としての発光部２８、発光周期設定部２９、第１の光度設定部３０、第２の光度設定部３１、切替スイッチ３２、発光電流調整部(Hi)３３、及び発光電流調整部(Low)３４を備えている。
【００３１】
制御部２１は、例えばＣＰＵ、メモリ、各種の入出力ポート等を備えたマイクロコントローラからなり、この光警報装置２０の全体を制御する。第１の電流制御部２２、第２の電流制御部２３、第３の電流制御部２４、第４の電流制御部２５は、発光同期信号が入力され、その同期パルスのLow時間の検出結果に基づいて、表１に示した４個の設定内容に対応する電流を切替スイッチ２６を介して充電部２７に供給できるように構成されている。即ち、例えば第１の電流制御部２２は、1.0Hzの設定周期(980msec)内でHi設定の安定した発光に必要な電荷を充電部２７に供給する能力を持っている（詳細については、図４乃至９、表２及び３を参照して後述する）。
【００３２】
切替スイッチ２６は、制御部２１による同期パルスのLow時間の検出結果に基づいて、制御部２１により切り替えられ、表１に示した同期パルスのLow時間に対応する第１乃至第４の電流制御部２２乃至２５の出力を選択する。
【００３３】
充電部２７は、切替スイッチ２６を通って供給される第１乃至第４の電流制御部２２乃至２５からの電流により、内蔵するコンデンサを充電する。発光部２８は、発光素子としてのＬＥＤ、及びスイッチングレギュレータを内蔵しており、制御部２１が同期パルスのLow時間の検出結果に基づいて、スイッチングレギュレータを制御することで、充電部２７のコンデンサからの放電電流が発光素子に流れることで、表１に示した同期パルスのLow時間に対応する設定内容における光度（Hi又はLow）で発光する（詳細については、図４乃至９、表２及び３を参照して後述する）。
【００３４】
発光周期設定部２９は、発光部２８の自走発光の発光周期を1.0Hz又は0.5Hzに設定可能である。ここで、1.0Hz、0.5Hzは、それぞれ995msec、1990ｍsecである。また、第１の光度設定部３０は、発光部２８の発光時間をHi又はLowに設定可能である。ここで、Hi、Lowは、例えばそれぞれ120msec、60msecである。また、第２の光度設定部３１は、発光電流、即ち、発光部２８の発光素子であるＬＥＤに流れる電流をHi又はLowに設定可能である。ここで、Hi、Lowは、例えばそれぞれ50mA、30mAである。即ち、光警報装置２０においては、発光部２８の発光時間（発光素子の駆動時間）又は発光電流（発光素子の駆動電流）により、発光部２８の光度を規定する。これらの各設定部は例えばディップスイッチにより構成されている。
【００３５】
ここで、光警報制御装置１０における発光同期信号の1.0Hz、0.5Hzをそれぞれ980msec、1975ｍsecとし、光警報装置２０における自走発光周期の1.0Hz、0.5Hzをそれぞれ995msec、1990ｍsecとした理由を説明する。
【００３６】
まず自走発光させる理由は、消防検定協会の「光警報装置及び光警報制御装置の品質評価細則」に「点滅周期は、0.5Hz以上2Hz以内であること。」と規定されているため、発光同期信号に入力が無いときでも0.5Hz以上2Hz以内で発光する必要があるからである。
【００３７】
また、自走発光周期を発光同期信号周期よりも僅かに長くする理由は、両者を同じにすると、製品のバラツキにより、動作が不安定になるからである。即ち、例えば自走発光周期及び発光同期信号周期の1.0Hzを980msec±2msecで設計した場合、下記I)乃至III)の動作が発生してしまう。
I)発光同期信号周期が978msec、自走発光周期が982msecの場合は、本実施形態と同様に動作する。
II)発光同期信号周期が982msec、自走発光周期が978msecの場合は、自走発光中に光警報装置が更に発光するように発光同期信号が届くため、発光時間が4msec伸びる。
III) 発光同期信号周期が980msec、自走発光周期が980msecの場合は、制御部（ＣＰＵ）が自走発光を選択するのか、発光同期信号に基づく発光を選択するのか不明になる。
【００３８】
切替スイッチ３２は、制御部２１の制御に基づいて、発光電流調整部(Hi)３３と発光電流調整部(Low)３４を択一的に発光部２８の出力側に接続する。発光電流調整部(Hi)３３は、発光電流を例えば50mAに調整するための部材であり、例えば5Ωの抵抗素子により構成される。また、発光電流調整部(Low)は、発光電流を例えば30mAに調整するための部材であり、例えば10Ωの抵抗素子により構成される。
【００３９】
〈発光同期信号設定処理〉
図２は、光警報制御装置１０の発光同期信号設定処理を示すフローチャートである。この処理は制御部１１により実行される。
【００４０】
まず制御部１１は、発光周期の設定及び光度の設定を読み込む（ステップＳ１）。これらの設定は、予め発光周期設定部１４及び光度設定部１５により設定され、制御部１１内のメモリに格納されたものである。
【００４１】
次に制御部１１は、発光周期の設定及び光度の設定を判定する（ステップＳ２）。そして、判定の結果に応じて、以下のステップＳ３乃至Ｓ６を択一的に実行する。即ち、1.0Hz・Hi設定の場合は周期980msecかつLow時間30msecに設定し（ステップＳ３）、1.0Hz・Low設定の場合は周期980msecかつLow時間40msecに設定し（ステップＳ４）、0.5Hz・Hi設定の場合は周期1975msecかつLow時間50msecに設定し（ステップＳ５）、0.5Hz・Low設定の場合は周期1975msecかつLow時間60msecに設定する（ステップＳ６）。これらの設定は、制御部１１内のメモリに格納された表１のテーブルを参照して実行される。
【００４２】
〈発光同期信号のタイミングチャート〉
図３は、光警報制御装置１０から出力される発光同期信号を示すタイミングチャートである。ここで、図３Ａ、Ｂ、Ｃ、Ｄは、それぞれ図２におけるステップＳ３、Ｓ４、Ｓ５、Ｓ６の設定により生成される発光同期信号を示している。
【００４３】
図３Ａ、Ｂ、Ｃ、Ｄにおいて、先頭のHi時間150msecのパルスをスタートパルス、それに続くLow時間30msecのパルスをスタート同期パルスと呼ぶ。また、スタート同期パルスの後に、ステップＳ３、Ｓ４、Ｓ５、Ｓ６で設定された周期及びLow時間で出力されるパルスを設定情報付き同期パルスと呼ぶ。
【００４４】
設定情報付き同期パルスは、そのLow時間（パルス幅）に基づいて、光警報装置２０における第１乃至第４の電流制御部２２乃至２５の選択、発光部２８の発光周期、発光時間、発光電流の設定に使用される。そして、この設定動作として、発光時間が可変設定され、発光電流が固定される動作モード（以下、発光時間制御モードと言う）と、発光電流が可変設定され、発光時間が固定される動作モード（以下、発光電流制御モードと言う）とがあり、例えば第１の光度設定部３０、第２の光度設定部３１を操作することで、発光時間制御モード、発光電流制御モードが選択される。
【００４５】
下記の表２は、発光時間制御モードにおける設定情報付き同期パルスのLow時間と、切替スイッチ２６で選択する電流制御部と、発光部２８の発光周期と、発光時間と、発光電流との関係を示している。
【００４６】
【表２】
2019028614.tif 000004
【００４７】
即ち、制御部２１は、発光時間制御モードが選択されると、発光部２８の発光電流を30mAに設定し、以後、このモードが解除されるまで30mAに固定する。このため、発光部２８の発光電流は、設定情報付き同期パルスのLow時間に関わらず30mAに固定される。そして、制御部２１は、電流制御部の選択、発光部２８の発光周期、及び発光時間の設定を下記(i)乃至(iv)のように実行する。
【００４８】
(i)Low時間30msecの設定情報付き同期パルスを検出した場合は、第１の電流制御部２２を選択するとともに、発光部２８の発光周期を980msec、発光時間を120msecとする。
(ii)Low時間40msecの設定情報付き同期パルスを検出した場合は、第２の電流制御部２３を選択するとともに、発光部２８の発光周囲を980msec、発光時間を60msecとする。
(iii)Low時間50msecの設定情報付き同期パルスを検出した場合は、第３の電流制御部２４を選択するとともに、発光部２８の発光周期を1975msec、発光時間を120msecとする。
(iv)Low時間60msecの設定情報付き同期パルスを検出した場合は、第４の電流制御部２５を選択するとともに、発光部２８の発光周期を1975msec、発光時間を60msecとする。
これらの設定は次回の発光時に使用される。詳細については、タイミングチャート（図４乃至７）を参照して後述する。
【００４９】
下記の表３は、発光電流制御モードにおける設定情報付き同期パルスのLow時間と、切替スイッチ２６で選択する電流制御部と、発光部２８の発光周期と、発光電流と、発光時間との関係を示している。
【００５０】
【表３】
2019028614.tif 000005
【００５１】
即ち、制御部２１は、発光電流制御モードが選択されると、発光部２８の発光時間を60msecに設定し、以後、このモードが解除されるまで60msecに固定する。このため、発光部２８の発光時間は、設定情報付き同期パルスのLow時間に関わらず60msecに固定される。そして、制御部２１は、電流制御部の選択、発光部２８の発光周期、及び発光時間の設定を下記(v)乃至(viii)のように実行する。
【００５２】
(v)Low時間30msecの設定情報付き同期パルスを検出した場合は、第１の電流制御部２２を選択するとともに、発光部２８の発光周期を980msec、発光電流を50mAとする。
(vi)Low時間40msecの設定情報付き同期パルスを検出した場合は、第２の電流制御部２３を選択するとともに、発光部２８の発光周囲を980msec、発光電流を30mAとする。
(vii)Low時間50msecの設定情報付き同期パルスを検出した場合は、第３の電流制御部２４を選択するとともに、発光部２８の発光周期を1975msec、発光電流を50mAとする。
(viii)Low時間60msecの設定情報付き同期パルスを検出した場合は、第４の電流制御部２５を選択するとともに、発光部２８の発光周期を1975msec、発光電流を30mAとする。
これらの設定は次回の発光時に使用される。詳細については、タイミングチャート（図８及び９）を参照して後述する。
【００５３】
次に、設定情報付き同期パルスが制御部２１に入力されないときの発光である自発発光について、発光時間制御モード、発光電流制御モードの順に説明する。
下記の表４は、発光時間制御モードにおける発光周期設定部２９及び光度設定部３０の設定内容と、切替スイッチ２６で選択する電流制御部と、発光部２８の発光周期と、発光時間と、発光電流との関係を示している。
【００５４】
【表４】
2019028614.tif 000006
【００５５】
制御部２１は、発光時間制御モードが選択されると、発光部２８の発光電流を30mAに設定し、以後、このモードが解除されるまで30mAに固定する。このため、発光部２８の発光電流は、第２の光度設定部３１の設定内容に関わらず30mAに固定される。そして、制御部２１は、設定情報付き同期パルスが制御部２１に入力されないとき、発光周期の設定及び光度の設定を読み込む。これらの設定は、予め発光周期設定部２９及び第１の光度設定部３０により設定され、制御部２１内のメモリに格納されたものである。
【００５６】
次に制御部２１は、発光周期の設定及び光度の設定を判定する。そして、判定の結果に応じて、以下の(a)乃至(d)を実行する。
(a)1.0Hz・Hi設定の場合は第１の電流制御部２２を選択し、発光部２８の発光周期、発光時間をそれぞれ995msec、120msecとする。
(b)1.0Hz・Low設定の場合は第２の電流制御部２３を選択し、発光部２８の発光周期、発光時間をそれぞれ995msec、60msecとする。
(c)0.5Hz・Hi設定の場合は第３の電流制御部２４を選択し、発光部２８の発光周期、発光時間をそれぞれ1990msec、120msecとする。
(d)0.5Hz・Low設定の場合は第４の電流制御部２５を選択し、発光部２８の発光周期、発光時間をそれぞれ1990msec、60msecとする。
【００５７】
下記の表５は、発光電流制御モードにおける発光周期設定部２９及び光度設定部３０の設定内容と、切替スイッチ２６で選択する電流制御部と、発光部２８の発光周期と、発光電流と、発光時間との関係を示している。
【００５８】
【表５】
2019028614.tif 000007
【００５９】
制御部２１は、発光電流制御モードが選択されると、発光部２８の発光時間を60msecに設定し、以後、このモードが解除されるまで60msecに固定する。このため、発光部２８の発光時間は、第１の光度設定部３０の設定内容に関わらず60msecに固定される。そして、制御部２１は、設定情報付き同期パルスが制御部２１に入力されないとき、発光周期の設定及び光度の設定を読み込む。これらの設定は、予め発光周期設定部２９及び第２の光度設定部３１により設定され、制御部２１内のメモリに格納されたものである。
【００６０】
次に制御部２１は、発光周期の設定及び光度の設定を判定する。そして、判定の結果に応じて、以下の(e)乃至(h)を実行する。
(e)1.0Hz・Hi設定の場合は第１の電流制御部２２を選択し、発光部２８の発光周期、発光電流をそれぞれ995msec、50mAとする。
(f)1.0Hz・Low設定の場合は第２の電流制御部２３を選択し、発光部２８の発光周期、発光電流をそれぞれ995msec、30mAとする。
(g)0.5Hz・Hi設定の場合は第３の電流制御部２４を選択し、発光部２８の発光周期、発光電流をそれぞれ1990msec、50mAとする。
(h)0.5Hz・Low設定の場合は第４の電流制御部２５を選択し、発光部２８の発光周期、発光電流をそれぞれ1990msec、30mAとする。
【００６１】
以下、光警報システムの第１乃至第６の動作例について順番に説明する。ここで、第１乃至第４の動作例は発光時間制御モードに関するものであり、第５及び第６の動作例は発光電流制御モードに関するものである。したがって、第１乃至第４の動作例では発光電流は30mAに固定されており、第５及び第６の動作例では発光時間は60msecに固定されている。よって、第１乃至第４の動作例については発光電流に関する説明は省略した。ただし、第５及び第６の動作例については、タイミングチャートであることから、発光時間を記載した。
【００６２】
〈光警報システムの第１の動作例〉
図４は、本発明の実施形態に係る光警報システムの第１の動作例を示すタイミングチャートである。この動作例は、光警報制御装置１０の設定周期が1.0Hz、設定光度がHi（1.0Hz・Hi設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【００６３】
《光警報制御装置１０が出力する発光同期信号》
光警報制御装置１０は図３Ａに示されている発光同期信号を送出する。
【００６４】
《光警報装置２０が1.0Hz・Low設定の場合》
まず制御部２１は、時刻t0で立ち下がるスタート同期パルスを検出すると、光警報装置２０の設定（1.0Hz・Low）に基づいて、第２の電流制御部２３を選択するように切替スイッチ２６を制御する。これにより、第２の電流制御部２３が充電部２７に充電電流を供給する。
【００６５】
次に制御部２１は、時刻t1で立ち下がるLow時間30msecの設定情報付き同期パルスを検出すると、その立下りから60msec（光警報装置２０のLow設定の時間）の間、発光部２８を強制発光させるとともに、Low時間30msecの設定情報付き同期パルスを検出したことで、次に選択する電流制御部、及び発光部２８の発光時間と発光周期を確定する。表２を参照して説明したように、ここでは第１の電流制御部２２の選択、及び120msecの発光時間と980msecの発光周期を確定する。これらの確定前は、光警報装置２０は1.0Hz・Low設定であることから、第２の電流制御部２３の選択、60msecの発光時間、及び995msecの発光周期が設定されている。そこで、60msecの発光時間が終了したタイミングで、電流制御部の切替（第２の電流制御部２３→第１の電流制御部２２）、発光時間の変更（60msec→120msec）、及び発光周期の変更（995msec→980msec）を行う。
【００６６】
次に制御部２１は、時刻t2で立ち下がるLow時間30msecの設定情報付き同期パルスを検出すると、その立下りから120msecの間、発光部２８を設定情報付き同期パルスに同期発光させるとともに、Low時間30msecの設定情報付き同期パルスを検出したことで、次に選択する電流制御部、及び発光部２８の発光時間と発光周期として、第１の電流制御部２２の選択、及び120msecの発光時間と980msecの発光周期を確定する。これらの確定された各情報は、前回確定された各情報と同じであるから、制御部２１は、これらの情報を保持しておけばよく、電流制御部の変更、発光時間の変更及び発光周期の変更は不要であり、行わない。以後、制御部２１が980msec周期のLow時間30msecの設定情報付き同期パルスを検出する毎に同じ動作を繰り返す。
【００６７】
ここで、同期発光と強制発光の違いについて説明する。同期発光も強制発光も設定情報付き同期パルスの立下がりの検出に応じて強制的に発光する点では同じである。両者の相違点は、前者は、１周期前の設定情報付き同期パルスのLow時間に基づいて発光周期及び発光時間が確定された状態で設定情報付き同期パルスの立下がりを検出したときの発光であり、後者は、事前に設定情報付き同期パルスが入力されず、自走発光に設定された状態で設定情報付き同期パルスの立下がりを検出したときの発光である。
【００６８】
《光警報装置２０が1.0Hz・Hi設定の場合》
まず制御部２１は、時刻t0で立ち下がるスタート同期パルスを検出すると、光警報装置２０の設定（1.0Hz・Hi）に基づいて、第１の電流制御部２２を選択するように切替スイッチ２６を制御し、充電部２７に充電電流を供給する。
【００６９】
次に制御部２１は、時刻t1で立ち下がるLow時間30msecの設定情報付き同期パルスを検出すると、その立下りから120msec（光警報装置２０のHi設定の時間）の間、発光部２８を強制発光させるとともに、Low時間30msecの設定情報付き同期パルスを検出したことで、次に選択する電流制御部、及び発光部２８の発光時間と発光周期として、第１の電流制御部２２の選択、及び120msecの発光時間と980msecの発光周期を確定する。これらの確定前は、光警報装置２０は1.0Hz・Hi設定であることから、第１の電流制御部２２の選択、120msecの発光時間及び995msecの発光周期が設定されている。したがって、電流制御部の切替、及び発光時間の変更は不要であり、120msecの発光時間が終了したタイミングで、発光周期の変更（995msec→980msec）のみを行う。以後の動作は1.0Hz・Low設定の場合と同じである。
【００７０】
《光警報装置２０が0.5Hz・Low設定の場合》
まず制御部２１は、時刻t0で立ち下がるスタート同期パルスを検出すると、光警報装置２０の設定（0.5Hz・Low）に基づいて、第４の電流制御部２５を選択するように切替スイッチ２６を制御し、充電部２７に充電電流を供給する。
【００７１】
次に制御部２１は、時刻t1で立ち下がるLow時間30msecの設定情報付き同期パルスを検出すると、その立下りから60msec（光警報装置２０のLow設定の時間）の間、発光部２８を強制発光させるとともに、Low時間30msecの設定情報付き同期パルスを検出したことで、次に選択する電流制御部、及び発光部２８の発光時間と発光周期として、第１の電流制御部２２の選択、及び120msecの発光時間と980msecの発光周期を確定する。これらの確定前は、光警報装置２０は0.5Hz・Low設定であることから、第４の電流制御部２５の選択、60msecの発光時間及び1990msecの発光周期が設定されている。そこで、60msecの発光時間が終了したタイミングで、電流制御部の切替（第４の電流制御部２５→第１の電流制御部２２）、発光時間の変更（60msec→120msec）、及び発光周期の変更（1990msec→980msec）を行う。以後の動作は1.0Hz・Low設定の場合と同じである。
【００７２】
《光警報装置２０が0.5Hz・Hi設定の場合》
まず制御部２１は、時刻t0で立ち下がるスタート同期パルスを検出すると、光警報装置２０の設定（0.5Hz・Hi）に基づいて、第３の電流制御部２４を選択するように切替スイッチ２６を制御し、充電部２７に充電電流を供給する。
【００７３】
次に制御部２１は、時刻t1で立ち下がるLow時間30msecの設定情報付き同期パルスを検出すると、その立下りから120msec（光警報装置２０のHi設定の時間）の間、発光部２８を強制発光させる（この発光は充電時間の不足により、光度が安定しない）とともに、Low時間30msecの設定情報付き同期パルスを検出したことで、次に選択する電流制御部、及び発光部２８の発光時間と発光周期として、第１の電流制御部２２の選択、及び120msecの発光時間と980msecの発光周期を確定する。これらの確定前は、光警報装置２０は0.5Hz・Hi設定であることから、第３の電流制御部２４の選択、120msecの発光時間及び1990msecの発光周期が設定されている。したがって、発光時間の変更は不要であり、120msecの発光時間が終了したタイミングで、電流制御部の切替（第３の電流制御部２４→第１の電流制御部２２）、及び発光周期の変更（1990msec→980msec）を行う。以後の動作は1.0Hz・Low設定の場合と同じである。
【００７４】
〈光警報システムの第２の動作例〉
図５は、本発明の実施形態に係る光警報システムの第２の動作例を示すタイミングチャートである。この動作例は、光警報制御装置１０の設定周期が1.0Hz、設定光度がLow（1.0Hz・Low設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【００７５】
《光警報制御装置１０が出力する発光同期信号》
光警報制御装置１０は図３Ｂに示されている発光同期信号を送出する。
【００７６】
《光警報装置２０が1.0Hz・Low設定の場合》
時刻t0からt1直前までの動作は第１の動作例（図４）と同じである。
次に制御部２１は、時刻t1で立ち下がるLow時間40msecの設定情報付き同期パルスを検出すると、その立下りから60msec（光警報装置２０のLow設定の時間）の間、発光部２８を強制発光させるとともに、Low時間40msecの設定情報付き同期パルスを検出したことで、次に選択する電流制御部、及び発光部２８の発光時間と発光周期として、第２の電流制御部２３の選択、及び60msecの発光時間と980msecの発光周期を確定する。これらの確定前は、光警報装置２０は1.0Hz・Low設定であることから、第２の電流制御部２３の選択、60msecの発光時間及び995msecの発光周期が設定されている。したがって、電流制御部の切替、及び発光時間の変更は不要であり、60msecの発光時間が終了したタイミングで、発光周期の変更（995msec→980msec）のみを行う。
【００７７】
次に制御部２１は、時刻t2で立ち下がるLow時間40msecの設定情報付き同期パルスを検出すると、その立下りから60msecの間、発光部２８を同期発光させるとともに、Low時間40msecの設定情報付き同期パルスを検出したことで、次に選択する電流制御部、及び発光部２８の発光時間と発光周期として、第２の電流制御部２３の選択、及び60msecの発光時間と980msecの発光周期を確定する。これらの確定された各情報は、前回確定された各情報と同じであるから、制御部２１は、これらの情報を保持しておけばよく、電流制御部の切替、発光時間の変更及び発光周期の変更は不要であり、行わない。以後、制御部２１が980msec周期のLow時間40msecの設定情報付き同期パルスを検出する毎に同じ動作を繰り返す。
【００７８】
《光警報装置２０が1.0Hz・Hi設定の場合》
時刻t0からt1直前までの動作は第１の動作例（図４）と同じである。
次に制御部２１は、時刻t1で立ち下がるLow時間40msecの設定情報付き同期パルスを検出すると、その立下りから120msec（光警報装置２０のHi設定の時間）の間、発光部２８を強制発光させるとともに、Low時間40msecの設定情報付き同期パルスを検出したことで、次に選択する電流制御部、及び発光部２８の発光時間と発光周期として、第２の電流制御部２３の選択、及び60msecの発光時間と980msecの発光周期を確定する。これらの確定前は、光警報装置２０は1.0Hz・Hi設定であることから、第１の電流制御部２２の選択、120msecの発光時間及び995msecの発光周期が設定されている。そこで、120msecの発光時間が終了したタイミングで、電流制御部の切替（第１の電流制御部２２→第２の電流制御部２３）、発光時間の変更（120msec→60msec）、及び発光周期の変更（995msec→980msec）を行う。以後の動作は1.0Hz・Low設定の場合と同じである。
【００７９】
《光警報装置２０が0.5Hz・Low設定の場合》
時刻t0からt1直前までの動作は第１の動作例（図４）と同じである。
次に制御部２１は、時刻t1で立ち下がるLow時間40msecの設定情報付き同期パルスを検出すると、その立下りから60msec（光警報装置２０のLow設定の時間）の間、発光部２８を強制発光させるとともに、Low時間40msecの設定情報付き同期パルスを検出したことで、次に選択する電流制御部、及び発光部２８の発光時間と発光周期として、第２の電流制御部２３の選択、及び60msecの発光時間と980msecの発光周期を確定する。これらの確定前は、光警報装置２０は0.5Hz・Low設定であることから、第４の電流制御部２５の選択、60msecの発光時間及び1990msecの発光周期が設定されている。したがって、発光時間の変更は不要であり、60msecの発光時間が終了したタイミングで、電流制御部の切替（第４の電流制御部２５→第２の電流制御部２３）、及び発光周期の変更（1990msec→980msec）を行う。以後の動作は1.0Hz・Low設定の場合と同じである。
【００８０】
《光警報装置２０が0.5Hz・Hi設定の場合》
時刻t0からt1直前までの動作は第１の動作例（図４）と同じである。
次に制御部２１は、時刻t1で立ち下がるLow時間40msecの設定情報付き同期パルスを検出すると、その立下りから120msec（光警報装置２０のHi設定の時間）の間、発光部２８を発光させる（この発光は充電時間の不足により、光度が安定しない）とともに、Low時間40msecの設定情報付き同期パルスを検出したことで、次に選択する電流制御部、及び発光部２８の発光時間と発光周期として、第２の電流制御部２３の選択、及び60msecの発光時間と980msecの発光周期を確定する。これらの確定前は、光警報装置２０は0.5Hz・Hi設定であることから、第３の電流制御部２４の選択、120msecの発光時間及び1990msecの発光周期が設定されている。そこで、120msecの発光時間が終了したタイミングで、電流制御部の切替（第３の電流制御部２４→第２の電流制御部２３）、発光時間の変更（120msec→60msec）、及び発光周期の変更（1990msec→980msec）を行う。以後の動作は1.0Hz・Low設定の場合と同じである。
【００８１】
〈光警報システムの第３の動作例〉
図６は、本発明の実施形態に係る光警報システムの第３の動作例を示すタイミングチャートである。この動作例は、光警報制御装置１０の設定周期が0.5Hz、設定光度がHi（0.5Hz・Hi設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【００８２】
《光警報制御装置１０が出力する発光同期信号》
光警報制御装置１０は図３Ｃに示されている発光同期信号を送出する。
【００８３】
《光警報装置２０が1.0Hz・Low設定の場合》
まず制御部２１は、時刻t10で立ち下がるスタート同期パルスを検出すると、光警報装置２０の設定（1.0Hz・Low）に基づいて、第２の電流制御部２３を選択するように切替スイッチ２６を制御し、充電部２７に充電電流を供給する。
【００８４】
次に制御部２１は、時t10から995msec（光警報装置２０の1.0Hz設定の周期）後に60msec（光警報装置２０のLow設定の時間）の間、発光部２８を自走発光させる。次いで制御部２１は、時刻t11で立ち下がるLow時間50msecの設定情報付き同期パルスを検出すると、その立下りから60msec（光警報装置２０のLow設定の時間）の間、発光部２８を強制発光させるとともに、Low時間50msecの設定情報付き同期パルスを検出したことで、次に選択する電流制御部、及び発光部２８の発光時間と発光周期として、第３の電流制御部２４の選択、及び120msecの発光時間と1975msecの発光周期を確定する。これらの確定前は、光警報装置２０は1.0Hz・Low設定であることから、第２の電流制御部２３の選択、60msecの発光時間及び995msecの発光周期が設定されている。そこで、60msecの発光時間が終了したタイミングで、電流制御部の切替（第２の電流制御部２３→第３の電流制御部２４）、発光時間の変更（60msec→120msec）、及び発光周期の変更（995msec→1975msec）を行う。
【００８５】
次に制御部２１は、時刻t12で立ち下がるLow時間50msecの設定情報付き同期パルスを検出すると、その立下りから120msecの間、発光部２８を発光させるとともに、Low時間50msecの設定情報付き同期パルスを検出したことで、次に選択する電流制御部、及び発光部２８の発光時間と発光周期として、第３の電流制御部２４の選択、及び120msecの発光時間と1975msecの発光周期を確定する。これらの確定された各情報は、前回確定された各情報と同じであるから、制御部２１は、これらの情報を保持しておけばよく、電流制御部の切替、発光時間の変更及び発光周期の変更は不要であり、行わない。以後、1975msec周期のLow時間50msecの設定情報付き同期パルスを検出する毎に同じ動作を繰り返す。
【００８６】
《光警報装置２０が1.0Hz・Hi設定の場合》
まず制御部２１は、時刻t10で立ち下がるスタート同期パルスを検出すると、光警報装置２０の設定（1.0Hz・Hi）に基づいて、第１の電流制御部２２を選択するように切替スイッチ２６を制御し、充電部２７に充電電流を供給する。
【００８７】
次に制御部２１は、時刻t10から995msec（光警報装置２０の1.0Hz設定の周期）後に120msec（光警報装置２０のHi設定の時間）の間、発光部２８を自走発光させる。次いで制御部２１は、時刻t11で立ち下がるLow時間50msecの設定情報付き同期パルスを検出すると、その立下りから120msec（光警報装置２０のHi設定の時間）の間、発光部２８を強制発光させるとともに、Low時間50msecの設定情報付き同期パルスを検出したことで、次に選択する電流制御部、及び発光部２８の発光時間と発光周期として、第３の電流制御部２４の選択、及び120msecの発光時間と1975msecの発光周期を確定する。これらの確定前は、光警報装置２０は1.0Hz・Hi設定であることから、第１の電流制御部２２の選択、120msecの発光時間及び995msecの発光周期が設定されている。したがって、発光時間の変更は不要であり、120msecの発光時間が終了したタイミングで、電流制御部の切替（第１の電流制御部２２→第３の電流制御部２４）、及び発光周期の変更（995msec→1975msec）を行う。以後の動作は1.0Hz・Low設定の場合と同じである。
【００８８】
《光警報装置２０が0.5Hz・Low設定の場合》
まず制御部２１は、時刻t10で立ち下がるスタート同期パルスを検出すると、光警報装置２０の設定（0.5Hz・Low）に基づいて、第４の電流制御部２５を選択するように切替スイッチ２６を制御し、充電部２７に充電電流を供給する。
【００８９】
次に制御部２１は、時刻t11で立ち下がるLow時間50msecの設定情報付き同期パルスを検出すると、その立下りから60msec（光警報装置２０のLow設定の時間）の間、発光部２８を強制発光させるとともに、Low時間50msecの設定情報付き同期パルスを検出したことで、次に選択する電流制御部、及び発光部２８の発光時間と発光周期として、第３の電流制御部２４の選択、及び120msecの発光時間と1975msecの発光周期を確定する。これらの確定前は、光警報装置２０は0.5Hz・Low設定であることから、第４の電流制御部２５の選択、60msecの発光時間及び1990msecの発光周期が設定されている。そこで、60msecの発光時間が終了したタイミングで、電流制御部の切替（第４電流制御部２５→第３の電流制御部２４）、発光時間の変更（60msec→120msec）、及び発光周期の変更（1990msec→1975msec）を行う。以後の動作は1.0Hz・Low設定の場合と同じである。
【００９０】
《光警報装置２０が0.5Hz・Hi設定の場合》
まず制御部２１は、時刻t10で立ち下がるスタート同期パルスを検出すると、光警報装置２０の設定（0.5Hz・Hi）に基づいて、第３の電流制御部２４を選択するように切替スイッチ２６を制御し、充電部２７に充電電流を供給する。
【００９１】
次に制御部２１は、時刻t11で立ち下がるLow時間50msecの設定情報付き同期パルスを検出すると、その立下りから120msec（光警報装置２０のHiの時間）の間、発光部２８を発光させるとともに、Low時間50msecの設定情報付き同期パルスを検出したことで、次に選択する電流制御部、及び発光部２８の発光時間と発光周期として、第３の電流制御部２４の選択、及び120msecの発光時間と1975msecの発光周期を確定する。これらの確定前は、光警報装置２０は0.5Hz・Hi設定であることから、第３の電流制御部２４の選択、120msecの発光時間及び1990msecの発光周期が設定されている。したがって、電流制御部の切替、及び発光時間の変更は不要であり、120msecの発光時間が終了したタイミングで、発光周期の変更（1990msec→1975msec）のみを行う。以後の動作は1.0Hz・Low設定の場合と同じである。
【００９２】
〈光警報システムの第４の動作例〉
図７は、本発明の実施形態に係る光警報システムの第４の動作例を示すタイミングチャートである。この動作例は、光警報制御装置１０の設定周期が0.5Hz、設定光度がLow（0.5Hz・Low設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【００９３】
《光警報制御装置１０が出力する発光同期信号》
光警報制御装置１０は図３Ｄに示されている発光同期信号を送出する。
【００９４】
《光警報装置２０が1.0Hz・Low設定の場合》
時刻t10からt11直前までの動作は第３の動作例（図６）と同じである。
次に制御部２１は、時刻t11で立ち下がるLow時間60msecの設定情報付き同期パルスを検出すると、その立下りから60msec（光警報装置２０のLow設定の時間）の間、発光部２８を強制発光させるとともに、Low時間60msecの設定情報付き同期パルスを検出したことで、次に選択する電流制御部、及び発光部２８の発光時間と発光周期として、第４の電流制御部２５の選択、及び60msecの発光時間と1975msecの発光周期を確定する。これらの確定前は、光警報装置２０は1.0Hz・Low設定であることから、第２の電流制御部２３の選択、60msecの発光時間及び995msecの発光周期が設定されている。したがって、発光時間の変更は不要であり、60msecの発光時間が終了したタイミングで、電流増幅部の切替（第２の電流制御部２３→第４の電流制御部２５）、及び発光周期の変更（995msec→1975msec）を行う。
【００９５】
次に制御部２１は、時刻t12で立ち下がるLow時間60msecの設定情報付き同期パルスを検出すると、その立下りから60msecの間、発光部２８を発光させるとともに、Low時間60msecの設定情報付き同期パルスを検出したことで、次に選択する電流制御部、及び発光部２８の発光時間と発光周期として、第４の電流制御部２５の選択、及び６0msecの発光時間と1975msecの発光周期を確定する。これらの確定された各情報は、前回確定された各情報と同じであるから、制御部２１は、これらの情報を保持しておけばよく、電流制御部の切替、発光時間の変更及び発光周期の変更は不要であり、行わない。以後、1975msec周期のLow時間60msecの設定情報付き同期パルスを検出する毎に同じ動作を繰り返す。
【００９６】
《光警報装置２０が1.0Hz・Hi設定の場合》
時刻t10からt11直前までの動作は第３の動作例（図６）と同じである。
次に制御部２１は、時刻t11で立ち下がるLow時間60msecの設定情報付き同期パルスを検出すると、その立下りから120msec（光警報装置２０のHi設定の時間）の間、発光部２８を強制発光させるとともに、Low時間60msecの設定情報付き同期パルスを検出したことで、次に選択する電流制御部、及び発光部２８の発光時間と発光周期として、第４の電流制御部２５の選択、及び60msecの発光時間と1975msecの発光周期を確定する。これらの確定前は、光警報装置２０は1.0Hz・Hi設定であることから、第１の電流制御部２２の選択、120msecの発光時間及び995msecの発光周期が設定されている。そこで、120msecの発光時間が終了したタイミングで、電流制御部の切替（第１電流制御部２２→第４の電流制御部２５）、発光時間の変更（120msec→60msec）、及び発光周期の変更（995msec→1975msec）を行う。以後の動作は1.0Hz・Low設定の場合と同じである。
【００９７】
《光警報装置２０が0.5Hz・Low設定の場合》
時刻t10からt11直前までの動作は第３の動作例（図６）と同じである。
次に制御部２１は、時刻t11で立ち下がるLow時間60msecの設定情報付き同期パルスを検出すると、その立下りから60msec（光警報装置２０のLow設定の時間）の間、発光部２８を強制発光させるとともに、Low時間60msecの設定情報付き同期パルスを検出したことで、次に選択する電流制御部、及び発光部２８の0発光時間と発光周期として、第４の電流制御部２５の選択、及び60msecの発光時間と1975msecの発光周期を確定する。これらの確定前は、光警報装置２０は0.5Hz・Low設定であることから、第４の電流制御部２５の選択、60msecの発光時間及び1990msecの発光周期が設定されている。したがって、電流制御部の切替、及び発光時間の変更は不要であり、60msecの発光時間が終了したタイミングで、発光周期の変更（1990msec→1975msec）のみを行う。以後の動作は1.0Hz・Low設定の場合と同じである。
【００９８】
《光警報装置２０が0.5Hz・Hi設定の場合》
時刻t10からt11直前までの動作は第３の動作例（図６）と同じである。
次に制御部２１は、時刻t11で立ち下がるLow時間60msecの設定情報付き同期パルスを検出すると、その立下りから120msec（光警報装置２０のHi設定の時間）の間、発光部２８を発光させるとともに、Low時間60msecの設定情報付き同期パルスを検出したことで、次に選択する電流制御部、及び発光部２８の発光時間と発光周期として、第４の電流制御部２５の選択、及び60msecの発光時間と1975msecの発光周期を確定する。これらの確定前は、光警報装置２０は0.5Hz・Hi設定であることから、第３の電流制御部２４の選択、120msecの発光時間及び1990msecの発光周期が設定されている。そこで、120msecの発光時間が終了したタイミングで、電流制御部の切替（第３電流制御部２４→第４の電流制御部２５）、発光時間の変更（120msec→60msec）、及び発光周期の変更（1990msec→1975msec）を行う。以後の動作は1.0Hz・Low設定の場合と同じである。
【００９９】
〈光警報システムの第５の動作例〉
図８は、本発明の実施形態に係る光警報システムの第５の動作例を示すタイミングチャートである。この動作例は、光警報制御装置１０の設定周期が1.0Hz、設定光度がHi（1.0Hz・Hi設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【０１００】
《光警報制御装置１０が出力する発光同期信号》
光警報制御装置１０は図３Ａに示されている発光同期信号を送出する。
【０１０１】
《光警報装置２０が1.0Hz・Low設定の場合》
時刻t0からt1直前までの動作は第１の動作例（図４）と同じである。
次に制御部２１は、時刻t1で立ち下がるLow時間30msecの設定情報付き同期パルスを検出すると、その立下がりから60msec(電流制御モードにおける固定時間)の間、発光部２８を発光電流30mA（光警報装置２０のLow設定）で強制発光させるとともに、Low時間30msecの設定情報付き同期パルスを検出したことで、次に選択する電流制御部、及び発光部２８の発光電流を確定する。表３を参照して説明したように、ここでは第１の電流制御部２２の選択、及び50mAの発光電流と980msecの発光周期を確定する。これらの確定前は、光警報装置２０は1.0Hz・Low設定であることから、第２の電流制御部２３の選択、30mAの発光電流、及び995msecの発光周期が設定されている。そこで、60msecの発光時間が終了したタイミングで、電流制御部の切替（第２の電流制御部２３→第１の電流制御部２２）、発光電流の変更（30mA→50mA）、及び発光周期の変更（995msec→980msec）を行う。
【０１０２】
次に制御部２１は、時刻t2で立ち下がるLow時間30msecの設定情報付き同期パルスを検出すると、その立下りから60msecの間、発光部２８を設定情報付き同期パルスに同期発光させるとともに、Low時間30msecの設定情報付き同期パルスを検出したことで、次に選択する電流制御部、及び発光部２８の発光電流と発光周期として、第１の電流制御部２２の選択、及び50mAの発光電流と980msecの発光周期を確定する。これらの確定された各情報は、前回確定された各情報と同じであるから、制御部２１は、これらの情報を保持しておけばよく、電流制御部の変更、発光電流の変更及び発光周期の変更は不要であり、行わない。以後、制御部２１が980msec周期のLow時間30msecの設定情報付き同期パルスを検出する毎に同じ動作を繰り返す。
【０１０３】
《光警報装置２０が1.0Hz・Hi設定の場合》
時刻t0からt1直前までの動作は第１の動作例（図４）と同じである。
次に制御部２１は、時刻t1で立ち下がるLow時間30msecの設定情報付き同期パルスを検出すると、その立下りから60msecの間、発光部２８を発光電流50mA（光警報装置２０のHi設定）で強制発光させるとともに、Low時間30msecの設定情報付き同期パルスを検出したことで、次に選択する電流制御部、及び発光部２８の発光電流と発光周期として、第１の電流制御部２２の選択、及び50mAの発光電流と980msecの発光周期を確定する。これらの確定前は、光警報装置２０は1.0Hz・Hi設定であることから、第１の電流制御部２２の選択、50mAの発光電流及び995msecの発光周期が設定されている。したがって、電流制御部の切替、及び発光電流の変更は不要であり、60msecの発光時間が終了したタイミングで、発光周期の変更（995msec→980msec）のみを行う。以後の動作は1.0Hz・Low設定の場合と同じである。
【０１０４】
《光警報装置２０が0.5Hz・Low設定の場合》
時刻t0からt1直前までの動作は第１の動作例（図４）と同じである。
次に制御部２１は、時刻t1で立ち下がるLow時間30msecの設定情報付き同期パルスを検出すると、その立下りから60msecの間、発光部２８を発光電流30mA（光警報装置２０のLow設定）で強制発光させるとともに、Low時間30msecの設定情報付き同期パルスを検出したことで、次に選択する電流制御部、及び発光部２８の発光電流と発光周期として、第１の電流制御部２２の選択、及び50mAの発光電流と980msecの発光周期を確定する。これらの確定前は、光警報装置２０は0.5Hz・Low設定であることから、第４の電流制御部２５の選択、30mAの発光電流及び1990msecの発光周期が設定されている。そこで、60msecの発光時間が終了したタイミングで、電流制御部の切替（第４の電流制御部２５→第１の電流制御部２２）、発光電流の変更（30mA→50mA）、及び発光周期の変更（1990msec→980msec）を行う。以後の動作は1.0Hz・Low設定の場合と同じである。
【０１０５】
《光警報装置２０が0.5Hz・Hi設定の場合》
時刻t0からt1直前までの動作は第１の動作例（図４）と同じである。
次に制御部２１は、時刻t1で立ち下がるLow時間30msecの設定情報付き同期パルスを検出すると、その立下りから60msecの間、発光部２８を発光電流50mA（光警報装置２０のHi設定）で強制発光させるとともに、Low時間30msecの設定情報付き同期パルスを検出したことで、次に選択する電流制御部、及び発光部２８の発光電流と発光周期として、第１の電流制御部２２の選択、及び50mAの発光電流と980msecの発光周期を確定する。これらの確定前は、光警報装置２０は0.5Hz・Hi設定であることから、第３の電流制御部２４の選択、50mAの発光電流及び1990msecの発光周期が設定されている。したがって、発光電流の変更は不要であり、60msecの発光時間が終了したタイミングで、電流制御部の切替（第３の電流制御部２４→第１の電流制御部２２）、及び発光周期の変更（1990msec→980msec）を行う。以後の動作は1.0Hz・Low設定の場合と同じである。
【０１０６】
〈光警報システムの第６の動作例〉
図９は、本発明の実施形態に係る光警報システムの第６の動作例を示すタイミングチャートである。この動作例は、光警報制御装置１０の設定周期が1.0Hz、設定光度がLow（1.0Hz・Low設定）の場合の光警報装置２０の４種類の設定（1.0Hz・Low設定、1.0Hz・Hi設定、0.5Hz・Low設定、0.5Hz・Hi設定）のものである。以下、光警報制御装置１０が出力する発光同期信号、及び光警報装置２０の４種類の設定の場合の動作について順番に説明する。
【０１０７】
《光警報制御装置１０が出力する発光同期信号》
光警報制御装置１０は図３Ｂに示されている発光同期信号を送出する。
【０１０８】
《光警報装置２０が1.0Hz・Low設定の場合》
時刻t0からt1直前までの動作は第２の動作例（図５）と同じである。
次に制御部２１は、時刻t1で立ち下がるLow時間40msecの設定情報付き同期パルスを検出すると、その立下りから60msecの間、発光部２８を発光電流30mA（光警報装置２０のLow設定）で強制発光させるとともに、Low時間40msecの設定情報付き同期パルスを検出したことで、次に選択する電流制御部、及び発光部２８の発光電流と発光周期として、第２の電流制御部２３の選択、及び30mAの発光電流と980msecの発光周期を確定する。これらの確定前は、光警報装置２０は1.0Hz・Low設定であることから、第２の電流制御部２３の選択、30mAの発光電流及び995msecの発光周期が設定されている。したがって、電流制御部の切替、及び発光電流の変更は不要であり、60msecの発光時間が終了したタイミングで、発光周期の変更（995msec→980msec）のみを行う。
【０１０９】
次に制御部２１は、時刻t2で立ち下がるLow時間40msecの設定情報付き同期パルスを検出すると、その立下りから60msecの間、発光部２８を発光電流30mAで同期発光させるとともに、Low時間40msecの設定情報付き同期パルスを検出したことで、次に選択する電流制御部、及び発光部２８の発光電流と発光周期として、第２の電流制御部２３の選択、及び30mAの発光電流と980msecの発光周期を確定する。これらの確定された各情報は、前回確定された各情報と同じであるから、制御部２１は、これらの情報を保持しておけばよく、電流制御部の切替、発光電流の変更及び発光周期の変更は不要であり、行わない。以後、制御部２１が980msec周期のLow時間40msecの設定情報付き同期パルスを検出する毎に同じ動作を繰り返す。
【０１１０】
《光警報装置２０が1.0Hz・Hi設定の場合》
時刻t0からt1直前までの動作は第２の動作例（図５）と同じである。
次に制御部２１は、時刻t1で立ち下がるLow時間40msecの設定情報付き同期パルスを検出すると、その立下りから60msecの間、発光部２８を発光電流50mA（光警報装置２０のHi設定）で強制発光させるとともに、Low時間40msecの設定情報付き同期パルスを検出したことで、次に選択する電流制御部、及び発光部２８の発光電流と発光周期として、第２の電流制御部２３の選択、及び30mAの発光電流と980msecの発光周期を確定する。これらの確定前は、光警報装置２０は1.0Hz・Hi設定であることから、第１の電流制御部２２の選択、50mAの発光電流及び995msecの発光周期が設定されている。そこで、60msecの発光時間が終了したタイミングで、電流制御部の切替（第１の電流制御部２２→第２の電流制御部２３）、発光電流の変更（50mA→30mA）、及び発光周期の変更（995msec→980msec）を行う。以後の動作は1.0Hz・Low設定の場合と同じである。
【０１１１】
《光警報装置２０が0.5Hz・Low設定の場合》
時刻t0からt1直前までの動作は第２の動作例（図５）と同じである。
次に制御部２１は、時刻t1で立ち下がるLow時間40msecの設定情報付き同期パルスを検出すると、その立下りから60msecの間、発光部２８を発光電流30mA（光警報装置２０のLow設定）で強制発光させるとともに、Low時間40msecの設定情報付き同期パルスを検出したことで、次に選択する電流制御部、及び発光部２８の発光電流と発光周期として、第２の電流制御部２３の選択、及び30mAの発光電流と980msecの発光周期を確定する。これらの確定前は、光警報装置２０は0.5Hz・Low設定であることから、第４の電流制御部２５の選択、30mAの発光電流及び1990msecの発光周期が設定されている。したがって、発光電流の変更は不要であり、60msecの発光時間が終了したタイミングで、電流制御部の切替（第４の電流制御部２５→第２の電流制御部２３）、及び発光周期の変更（1990msec→980msec）を行う。以後の動作は1.0Hz・Low設定の場合と同じである。
【０１１２】
《光警報装置２０が0.5Hz・Hi設定の場合》
時刻t0からt1直前までの動作は第２の動作例と（図５）同じである。
次に制御部２１は、時刻t1で立ち下がるLow時間40msecの設定情報付き同期パルスを検出すると、その立下りから60msecの間、発光部２８を発光電流50mA（光警報装置２０のHi設定）で強制発光させる（この発光は充電時間の不足により、光度が安定しない）とともに、Low時間40msecの設定情報付き同期パルスを検出したことで、次に選択する電流制御部、及び発光部２８の発光電流と発光周期として、第２の電流制御部２３の選択、及び30mAの発光電流と980msecの発光周期を確定する。これらの確定前は、光警報装置２０は0.5Hz・Hi設定であることから、第３の電流制御部２４の選択、50mAの発光電流及び1990msecの発光周期が設定されている。そこで、60msecの発光時間が終了したタイミングで、電流制御部の切替（第３の電流制御部２４→第２の電流制御部２３）、発光電流の変更（50mA→30mA）、及び発光周期の変更（1990msec→980msec）を行う。以後の動作は1.0Hz・Low設定の場合と同じである。
【０１１３】
なお、以上説明した実施形態は、光度設定部として第１の光度設定部３０、第２の光度設定部３１の双方を有するものであるが、いずれか一方を有する構成も可能である。また、本発明の実施形態について、発光部が光警報を発生する光警報装置を例示して説明したが、本発明は、音発生部が音警報を発生する音警報装置に対しても同様に適用することができる。
【符号の説明】
【０１１４】
１０…光警報制御装置、２０…光警報装置、２１…制御部、２２…第１の電流制御部、２３…第２の電流制御部、２４…第３の電流制御部、２５…第４の電流制御部、２６，３２…切替スイッチ、２７…充電部、２８…発光部、２９…発光周期設定部、３０…第１の光度設定部、３１…第２の光度設定部、３３…発光電流調整部(Hi)、３４…発光電流調整部(Low)。
【図１】
2019028614.tif 000008
【図２】
2019028614.tif 000009
【図３】
2019028614.tif 000010
【図４】
2019028614.tif 000011
【図５】
2019028614.tif 000012
【図６】
2019028614.tif 000013
【図７】
2019028614.tif 000014
【図８】
2019028614.tif 000015
【図９】
2019028614.tif 000016
【図１０】
2019028614.tif 000017
【図１１】
2019028614.tif 000018
【図１２】
2019028614.tif 000019
【図１３】
2019028614.tif 000020
【図１４】
2019028614.tif 000021